(57)【要約】【課題】  手ぶれを防止することができ、且つシャッタボタンの多機能化が可能な撮像装置を提供することを目的とする。【解決手段】  発光部１２及び受光部１４によってシャッタ部を構成し、ＣＰＵの指示によって発光部１２から発光して操作指によって反射された光の光量を受光部１４で検出する。発光部１２及び受光部１４は、円筒形の弾性部材１６で覆ってシャッタボタン１８とする。円筒形の弾性部材１６は、略中央部に貫通穴２０を設け、外部に発光部１２から発光された光を出射し、操作指で貫通穴２０を塞ぐことによって、受光部１４が光量変化を検出して第１の操作状態を検出する。また、シャッタボタン１８を更に押さえるように操作することで、発光部１２から発光された光の操作指によって反射される位置が変化して、受光部１４が検出する受光量が変化し、これを検出することで第２の操作状態を検出する。【選択図】        図２
2006078687.tif 000002
【特許請求の範囲】
【請求項１】
操作指によって操作された状態を検出して撮像指示を行うシャッタボタンを有する撮像装置であって、
前記シャッタボタンが、
光を操作指の方向に照射する発光部と、
前記発光部から照射されて操作指によって反射された光を受光する受光部と、
前記受光部によって受光した光量変化に基づいて、複数の操作状態を検出する検出手段と、
からなることを特徴とする撮像装置。
【請求項２】
前記シャッタボタンは、発光部からの光が操作指に照射されるように貫通穴が設けられた、交換可能な部材によって覆われていることを特徴とする請求項１に記載の撮像装置。
【請求項３】
前記シャッタボタンは、発光部からの光が操作指に照射されるように複数の貫通穴が設けられた、交換可能な部材によって覆われ、各貫通穴に対応して前記発光部及び前記受光部を備えることを特徴とする請求項１に記載の撮像装置。
【請求項４】
前記部材が、弾性部材からなることを特徴する請求項２又は請求項３に記載の撮像装置。
【請求項５】
操作指によって操作された状態を検出して撮像指示を行うシャッタボタンを有する撮像装置であって、
前記シャッタボタンが、
光を操作指の方向に照射する発光部、及び前記発光部から照射されて操作指によって反射された光を受光する受光部からなる複数の受発光部と、
各受発光部の前記受光部による光の受光に基づいて、複数の操作状態を検出する検出手段と、
を備えることを特徴とする撮像装置。
【発明の詳細な説明】
【技術分野】
【０００１】
本発明は、撮像装置にかかり、特に、複数の操作状態を検出するシャッタボタンを供えた撮像装置に関する。
【背景技術】
【０００２】
近年、撮像装置として、ＣＣＤ（Charge Coupled Device）などの撮像素子を用いて撮影するデジタルカメラが普及している。一般に、デジタルカメラの撮影指示は、銀塩カメラと同様に、機械的なシャッタボタンを操作することでシャッタボタンに設けられたスイッチがオンされて、該スイッチのオン信号を用いて撮影指示を行うようになっている。
【０００３】
ところで、シャッタボタンは、特許文献１に記載の技術のような多機能化されたものが提案されているが、一般的なカメラでも、少なくとも第１及び第２の２つの操作状態を検出するようになっており、例えば、第１の操作状態を検出した時に、ＡＥやＡＦの機能を動作させ、第２の操作状態を検出した時に、撮影指示を行うようになっている。
【０００４】
一方、一般的に撮像装置ではシャッタボタンの操作による手ぶれが問題となるが、これを解決するために特許文献２に記載の技術などが提案されている。
【０００５】
特許文献２に記載の技術では、シャッタボタンに光学式のシャッタを適用して、操作指の有無を光学センサ等によって検出することで撮影指示を行うようになっており、これによって、機械的なシャッタボタンに比べて手ぶれを防止することができる。
【特許文献１】特開平１１−１６０７５５号公報
【特許文献２】特開平１１−２９５７７８号公報
【発明の開示】
【発明が解決しようとする課題】
【０００６】
しかしながら、特許文献２に記載の技術では、手ぶれを防止することができるもの、特許文献１に記載の技術のようにシャッタボタンの多機能化を行うことができない、という問題がある。
【０００７】
また、近年の撮像装置では、ＡＥやＡＦなどの撮像前の撮像準備動作を行わせる指示と、撮像の指示の少なくとも２つの操作状態をシャッタボタンの機能として持たせる必要がある。
【０００８】
本発明は、上記問題を解決すべく成されたもので、手ぶれを防止することができ、且つシャッタボタンの多機能化が可能な撮像装置を提供することを目的とする。
【課題を解決するための手段】
【０００９】
上記目的を達成するために請求項１に記載の発明は、操作指によって操作された状態を検出して撮像指示を行うシャッタボタンを有する撮像装置であって、前記シャッタボタンが、光を操作指の方向に照射する発光部と、前記発光部から照射されて操作指によって反射された光を受光する受光部と、前記受光部によって受光した光量変化に基づいて、複数の操作状態を検出する検出手段と、からなることを特徴としている。
【００１０】
請求項１に記載の発明によれば、シャッタボタンの発光部では、操作指の方向に光が照射され、受光部では発光部から照射されて操作指によって反射された光が受光される。そして、検出手段では、受光部によって受光した光量変化に基づいて、複数の操作状態が検出される。
【００１１】
例えば、シャッタボタンが操作指によって操作されていないときには、受光部は光を受光しないので検出手段が未操作状態を検出することができる。また、シャッタボタンに操作指が触れると発光部から照射された光が操作指によって反射されて受光部に受光される。この時、操作指と、発光部及び受光部との距離に応じて、受光部が受光する光量が変化するので、受光部が受光する光量の閾値を予め定めることによって複数の操作状態として検出することができ、光学式のシャッタボタンを多機能化することが可能となる。
【００１２】
また、発光部から照射され、操作指によって反射された光を受光部で受光することで、操作状態を検出することができるので、シャッタボタンへの操作力を機械式のシャッタボタンに比べて軽減することができ、手ぶれを防止することが可能となる。
【００１３】
なお、シャッタボタンは、請求項２に記載の発明のように、発光部からの光が操作指に照射されるように貫通穴が設けられた、交換可能な部材によって覆うようにしてもよい。このようにすることによって、例えば、貫通穴の大きさを使用者の指のサイズ毎に交換することが可能となる。
【００１４】
また、シャッタボタンは、請求項３に記載の発明のように、発光部からの光が操作指に照射されるように複数の貫通穴が設けられた、交換可能な部材によって覆い、各貫通穴に対応して発光部及び受光部を備えるようにしてもよい。すなわち、各貫通穴毎に発光部及び受光部を備えるので、選択的に各貫通穴を指で塞いだ時に、各受光部が光を受光したか否かを検出することで、複数の操作状態を検出することができる。さらには、上述したように、発光部及び受光部との距離に応じて、受光部が受光する光量が変化することから、受光部が受光する光量の閾値を予め定めることによって複数の操作状態として検出することができるので、各貫通穴に対応する受光部毎に複数の操作状態を検出することができ、更にシャッタボタンの多機能化が可能となる。
【００１５】
この時、シャッタボタンを覆う部材は、請求項４に記載の発明のように、弾性部材からなるようにしてもよい。すなわち、検出手段では、操作指と、発光部及び受光部との距離に応じて、複数の操作状態を検出しているので、操作指を発光部及び受光部に近づくように操作する際に操作力が必要となるが、このようにシャッタボタンを覆う部材として弾性部材を適用することによって、操作力が必要なくなるので、手ぶれを防止することが可能となる。
【００１６】
請求項５に記載の発明は、操作指によって操作された状態を検出して撮像指示を行うシャッタボタンを有する撮像装置であって、前記シャッタボタンが、光を操作指の方向に照射する発光部、及び前記発光部から照射されて操作指によって反射された光を受光する受光部からなる複数の受発光部と、各受発光部の前記受光部による光の受光に基づいて、複数の操作状態を検出する検出手段と、を備えることを特徴としている。
【００１７】
請求項５に記載の発明によれば、シャッタボタンの各受発光部における、発光部では操作指の方向に光が照射され、受光部では発光部から照射されて操作指によって反射された光が受光される。
【００１８】
そして、検出手段では、各受発光部の受光部による光の受光に基づいて、複数の操作状態が検出される。
【００１９】
例えば、選択的に各受発光部を指で塞いだ時に、各受発光部の受光部が光を受光したか否かを検出することで、複数の操作状態を検出することができる。また、各受発光部を指で塞ぐだけであるので、指のスライド等の操作で複数の機能を操作することが可能となり、手ぶれを確実に防止しつつ、シャッタボタンの多機能化が可能となる。
【発明の効果】
【００２０】
以上説明したように本発明によれば、発光部から操作指方向に光を照射して、操作指によって反射された光を受光し、受光した光量変化に基づいて、複数の操作状態を検出することによって、シャッタボタンへの操作力を軽減することができるので、手ぶれを防止することができ、且つシャッタボタンの多機能化が可能となる、という効果がある。
【発明を実施するための最良の形態】
【００２１】
以下、図面を参照して本発明の実施の形態の一例を詳細に説明する。
［第１実施形態］
図１は、本発明の第１実施形態に係わるデジタルカメラ５０の構成を示すブロック図である。
【００２２】
本発明の第１実施形態に係わるデジタルカメラ５０は、被写体像を結像させるためのレンズを含んで構成された光学ユニット５２と、撮像素子として光学ユニット５２の光軸後方に配設されたＣＣＤ５４、ＣＣＤ５４から出力される画像信号に対して所定のアナログ信号処理を施すアナログ信号処理部５６と、アナログ信号処理部５６により処理されたアナログ信号をデジタル信号に変換するアナログ／デジタル変換器（以下、Ａ／Ｄという）５８、ＣＣＤ５４を駆動するためのＣＣＤ駆動部６０と、光学ユニット５２の撮影倍率、焦点位置、及び絞り値の各々を調整するためのモータ６２Ａ〜６２Ｃと、該モータ６２Ａ〜６２Ｃを駆動するためのモータ駆動部６４と、撮影画像や各種情報を表示するために設けたＬＣＤ等からなる表示部７０と、撮影者によって操作される操作部７２と、主として撮影によって得られたデジタル画像データを一時的に記憶するメインメモリ７４と、デジタルカメラ５０の全体的な動作を司る主制御部７６と、を備えて構成されている。
【００２３】
光学ユニット５２は、入射された被写体像を表す光をＣＣＤ５４の受光面に結像するものであり、撮影レンズ７８Ａ及びフォーカスレンズ７８Ｂを含むレンズ群７８と、絞り８０とを含んで構成されている。なお、レンズ群７８は、単一の焦点距離（固定焦点）のレンズでもよいし、ズームレンズや望遠／広角の二焦点切換式レンズのように焦点距離可変のものでもよい。
【００２４】
また、光学ユニット５２は、モータ６２Ａの駆動によって、撮影レンズ７８Ａを光軸方向に移動して撮影倍率を調整することが可能とされている。また、モータ６２Ｂの駆動によって、フォーカスレンズ７８Ｂを光軸方向に移動して合焦位置を移動させると共に、モータ６２Ｃの駆動によって、絞り８０の絞り値を調整することができるようになっている。モータ６２Ａ〜６２Ｃは、モータ駆動部６４に接続されており、モータ駆動部６４によって各モータが駆動される。
【００２５】
ＣＣＤ５４は、ＣＣＤ駆動部６０及びアナログ信号処理部５６と接続されている。ＣＣＤ５４は、受光面に入射された光を入射光量に応じた量の信号電荷に変換し、ＣＣＤ駆動部６０から供給される駆動パルスと同期して、蓄積された信号電荷に応じた電圧信号をアナログ画像信号としてアナログ信号処理部５６へと出力する。
【００２６】
アナログ信号処理部５６は、ＣＣＤ５４から出力されたアナログ画像信号を相関二重サンプリング（ＣＤＳ）処理すると共に、Ｒ（赤）、Ｇ（緑）、Ｂ（青）の各色信号に色分離処理し、各色信号の信号レベルの調整（例えば、プリホワイトバランス処理）を行う。このアナログ信号処理部５６は、Ａ／Ｄ５８と接続されており、Ａ／Ｄ５８は主制御部７６と接続されている。
【００２７】
アナログ信号処理部５６による処理後のアナログ画像信号は、Ａ／Ｄ５８により、ＲＧＢの各色のデジタル画像信号に変換された後に、主制御部７６に入力されるようになっている。
【００２８】
主制御部７６は、合焦状態を評価するための合焦評価値を算出する合焦評価算出部８２と、最適な露出及びホワイトバランスを算出するＡＥ・ＡＷＢ算出部８４と、入力されたデジタル信号に対して所定のデジタル信号処理を施してデジタル画像データを生成するデジタル信号処理部８８と、所定の圧縮方式でデジタル画像データを圧縮すると共に、圧縮されたデジタル画像データを伸張する圧縮伸張処理部８６と、メインメモリ７４にデータを読み書きするメモリ制御部９０と、図示しないスロットに着脱可能に装填される可搬性の記録メディアＭにデータを読み書きするメディア制御部９２と、表示部７０の表示動作を制御する表示制御部９４と、主制御部７６全体の制御を司るＣＰＵ９６と、がバス９８により相互に接続されている。
【００２９】
また、ＣＰＵ９６は、操作部７２と接続されており、撮影者による操作部７２の操作状態を常時把握できる。なお、操作部７２には、画像の撮影記録の指示を与えるレリーズボタン、撮影モードや再生モードといったカメラのモード選択を行うモード切換、ズーム操作やその他各種指示・情報を入力するための各種ボタンやスイッチ等が含まれる。これらのボタンやスイッチを用いて、タッチパネルや表示部７０の画面上において設定メニューや選択項目を表示してカーソルで所望の項目に選択することが可能である。また、操作部７２は、カメラ本体に配設されてもよいし、リモコン装置としてカメラ本体と分離した構成としてもよい。
【００３０】
ところで、本実施形態に係わるデジタルカメラ５０は、光学式のシャッタ部１０を備えており、光の発光及び受光を用いてシャッタ指示を行うようになっている。
【００３１】
シャッタ部１０は、発光部１２及び受光部１４からなり、それぞれＣＰＵ９６に接続されている。ＣＰＵ９６の指示によって発光部１２から発光された光の光量が受光部１４によって検出されるようになっている。
【００３２】
シャッタ部１０は、詳細には、図２（Ａ）、（Ｂ）に示すように、発光部１２及び受光部１４は、円筒形の弾性部材１６によって覆われており、円筒形の弾性部材１６、発光部１２及び受光部１４によってシャッタボタン１８とされている。
【００３３】
円筒形の弾性部材１６は、図２（Ｂ）に示すように、略中央部に貫通穴２０が設けられており、デジタルカメラ５０外部に発光部１２から発光された光が該貫通穴２０を介して出射されるようになっており、使用者がシャッタボタン１８を操作するように、貫通穴２０を操作指で塞ぐことによって、受光部１４が光量変化を検出して第１の位置を検出するようになっている。
【００３４】
また、使用者がシャッタボタン１８を更に押さえるように操作することによって弾性部材１６が容易に撓んで、発光部１２から発光された光の操作指によって反射される位置が図２（Ａ）の点線で示すように変化することにより、受光部１４が検出する受光量が変化し、これによって第２の位置を検出するようになっている。
【００３５】
弾性部材１６は、例えば、ゴムやシリコンゴム等の柔らかい弾性部材からなり、操作指による弾性部材１６の押圧に操作力を必要としないようになっている。
【００３６】
なお、弾性部材１６は、交換可能としてもよく、例えば、貫通穴２０のサイズの異なる弾性部材１６を用意して、使用者の指のサイズ等に応じて交換するようにしてもよい。このように交換可能とすることによって、使用者の指のサイズが原因で使用できないというようなことを防止することができる。
【００３７】
また、本実施形態では、発光部１２及び受光部１４を弾性部材１６で覆うようにしたが、これに限るものではなく、例えば、樹脂等のシャッタ部材２２を用いるようにしてもよい。この場合には、図３の実線で示すように、操作指で貫通穴２０を覆うことで第１の位置を受光部１４が検出し、操作指で貫通穴２０を抑えることで、図３の点線で示すように操作指の変形によって、発光部１２から発光されて受光部１４に反射される位置の変化によって受光部１４が受光量の変化を検出して第２の位置を検出する。
【００３８】
続いて、上述のように構成された本発明の第１実施形態に係わるデジタルカメラ５０の作用について説明する。
【００３９】
図４は、本発明の第１実施形態に係わるデジタルカメラの撮影時において、シャッタボタン１８が操作された時のＣＰＵ９６で行われる処理の流れの一例を示すフローチャートである。
【００４０】
まず、始めにステップ１００では、撮影モードか否か判定される。該判定は、使用者が操作部７２を操作することによって撮影モードが選択されたか否かをＣＰＵ９６が判定することによってなされ、該判定が否定された場合には、当該処理を終了してその他の処理が行われる。
【００４１】
ステップ１００の判定が肯定されると、ステップ１０２へ移行して、ＣＰＵ９６によって発光部１２が制御されて、発光部１２からデジタルカメラ５０の外へ向けて光が照射される。すなわち、シャッタボタン１８の貫通穴２０に向けて光が照射される。さらに、ＣＰＵ９６が表示制御部９４を制御することによって、ＣＣＤ５４から得られる画像データが表す画像が表示部７０に表示される。
【００４２】
次に、ステップ１０４では、受光部１４によって第１の所定値以上の受光量を検出したか否か判定される。該判定は、使用者によってシャッタボタン１８の貫通穴２０が塞がれたか否かを判定する。すなわち、操作指がシャッタボタン１８の上に置かれた時に、発光部１２から照射された光が操作指によって反射された時の受光部１４が受光する受光量が予め定めた第１の所定値以上か否かを判定することによって、シャッタボタン１８の貫通穴２０が塞がれたか否かを判定することが可能であり、ステップ１０４の判定が肯定されるまで待機してステップ１０６へ移行する。
【００４３】
ステップ１０６では、ＡＥ・ＡＦ処理がＣＰＵ９６によって行われる。例えば、ＣＰＵ９６がＣＣＤ駆動部６０を駆動してＣＣＤ５４が蓄積した電荷を取得して、ＡＥ・ＡＷＢ算出部８４を制御するすることによって周囲の光量を測定し、測定した光量に応じてモータ駆動部６４を介してモータ６２Ｃを駆動することで、絞り８０を調節する（ＡＥ：Auto Exposure）。また、ＣＰＵ９６がＣＣＤ駆動部６４を駆動してＣＣＤ５４が蓄積した電荷を被写体像を表す画像データとして取得して、合焦評価算出部８２を制御して当該画像データ内のコントラストに基づいて合焦評価を算出し、算出した合焦評価に基づいてモータ駆動部６４を介してモータ６２Ｂを駆動することでフォーカスレンズ７８Ｂを調整する（ＡＦ：Auto Focus）。
【００４４】
次に、ステップ１０８では、受光部１４によって第２の所定値以上の受光量を検出したか否か判定される。該判定は、使用者によってシャッタボタン１８が押さえられて、発光部１２及び受光部１４に操作指が近づいたか否かが判定される。すなわち、図２（Ａ）や図３の点線で示すように、操作指が発光部１２及び受光部１４に近づいた時に、発光部１２から照射される光が操作指によって反射された時の受光部１４が受光する光量が予め定めた第２の所定値以上か否かを判定することによって、発光部１２及び受光部１４に操作指が近づいたか否かを判定することが可能であり、ステップ１０８の判定が否定された場合には、ステップ１０４に戻って上述の処理が行われる。なお、第２の所定値は、第１の所定値より大きい値が設定されており、例えば、反射率９０％以上に相当する光量値が設定される。
【００４５】
ステップ１０８の判定が肯定された場合には、ステップ１１０へ移行して、撮影処理が行われる。撮影処理は、ＣＣＤ５４に結像された被写体像を、デジタル信号処理部８８などによって所定の画像処理を施したデジタル画像データとして、メインメモリ７４や記録メディアＭ等に記録などをする周知の撮影処理が行われる。
【００４６】
次にステップ１１２では、撮影終了か否か判定される。該判定は、使用者が操作部７２を操作することによって撮影モード以外が選択されたか否か、或いは電源オフが指示されたか否か等をＣＰＵ９６が判定することによってなされ、該判定が否定された場合には、ステップ１０４に戻って上述の処理が繰り返され、該判定が肯定された場合には、ステップ１１４へ移行する。
【００４７】
ステップ１１４では、ＣＰＵ９６によって発光部１２が制御されて消灯され、当該処理を終了して、デジタルカメラ５０の他の処理が行われる。
【００４８】
このように、本実施形態では、発光部１２から発光され、操作指によって反射された光を受光部１４で受光し、受光した受光量変化に基づいて、２つの操作状態を検出することができるので、発光部１２及び受光部１４を光学式のシャッタとして機能させることができると共に、多機能化することができる。
【００４９】
また、発光部１２から照射され、操作指によって反射された光を受光部１２で受光することで、操作状態を検出することができるので、シャッタボタン１８への操作力を機械式のシャッタボタンに比べて軽減することができ、手ぶれを防止することができる。
【００５０】
また、シャッタボタン１８が押圧操作される際には、操作指と、発光部１２及び受光部１４の距離に応じて、受光部１４が受光する光量が変化するので、複数の閾値（第１の所定値と第２の所定値）を定めることによって複数の操作状態を検出することができ、光学式のシャッタボタン１８を多機能化することができる。
【００５１】
さらに、押圧の操作力を必要としない弾性部材１６が適用され、撮影指示を行うときに容易に撓むので、手ぶれを防止することができる。
［第２実施形態］
続いて、本発明の第２実施形態に係わるデジタルカメラについて説明する。図５は、本発明の第２実施形態に係わるデジタルカメラにおけるシャッタボタンの構成を示す図である。
【００５２】
第１実施形態のシャッタボタン１８では、弾性部材１６に貫通穴２０を１つ設け、該貫通穴２０に対応して１対の発光部１２及び受光部１４を設けたシャッタボタン１８を説明したが、第２実施形態のシャッタボタン１９では、図５（Ａ）、（Ｂ）に示すように、樹脂等のシャッタ部材２４に第１貫通穴２０Ａと第２貫通穴２０Ｂの２つの貫通穴が設けられており、第１貫通穴２０Ａに対応して、第１発光部１２Ａ及び第１受光部１４Ａが設けられ、同様に、第２貫通穴２０Ｂに対応して、第２発光部１２Ｂ及び第２受光部１４Ｂが設けられている。すなわち、本実施形態では、シャッタ部材２４の各貫通穴２０Ａ、２０Ｂが操作指によって覆われたか否かを各貫通穴２０Ａ、２０Ｂに設けられた発光部１２Ａ、１２Ｂ及び受光部１４Ａ、１４Ｂで検出するようになっている。
【００５３】
なお、デジタルカメラの構成自体は、貫通穴２０Ａ、２０Ｂの数の増加に対応して、第１実施形態に係わるデジタルカメラ５０に対して発光部１２Ａ、１２Ｂ及び受光部１４Ａ
、１４Ｂが増えてＣＰＵ９６に接続されたのみであるため詳細な説明を書略する。
【００５４】
次に、本発明の第２実施形態に係わるデジタルカメラ５０の作用について説明する。
【００５５】
図６は、本発明の第２実施形態に係わるデジタルカメラの撮影時において、シャッタボタン１９が操作された時のデジタルカメラ５０のＣＰＵ９６で行われる処理の流れの一例を示すフローチャートである。
【００５６】
まず、始めにステップ２００では、撮影モードか否か判定される。該判定は、使用者が操作部７２を操作することによって撮影モードが選択されたか否かをＣＰＵ９６が判定することによってなされ、該判定が否定された場合には、当該処理を終了してその他の処理が行われる。
【００５７】
ステップ２００の判定が肯定されると、ステップ２０２へ移行して、ＣＰＵ９６によって第１発光部１２Ａ及び第２発光部１２Ｂが制御されて、第１発光部１２Ａ及び第２発光部１２Ｂからデジタルカメラ５０の外へ向けて光が照射される。すなわち、シャッタボタン１９の第１貫通穴２０Ａ及び第２貫通穴２０Ｂに向けてそれぞれ光が照射される。さらに、ＣＰＵ９６が表示制御部９４を制御することによって、ＣＣＤ５４から得られる画像データが表す画像が表示部７０に表示される。
【００５８】
次に、ステップ２０４では、第１受光部１２Ａによって所定値以上の受光量を検出したか否か判定される。該判定は、使用者によってシャッタボタン１９の第１貫通穴２０Ａが塞がれたか否かを判定する。すなわち、操作指がシャッタボタン１９の第１貫通穴２０Ａ上に置かれた時に、第１発光部１２Ａから照射された光が操作指によって反射された時の第１受光部１４Ａが受光する受光量が予め定めた所定値以上か否かを判定することによって、シャッタボタン１９の第１貫通穴２０Ａが塞がれたか否かを判定することが可能であり、ステップ２０４の判定が肯定されるまで待機してステップ２０６へ移行する。
【００５９】
ステップ２０６では、ＡＥ・ＡＦ処理がＣＰＵ９６によって行われる。例えば、ＣＰＵ９６がＣＣＤ駆動部６０を駆動してＣＣＤ５４が蓄積した電荷を取得して、ＡＥ・ＡＷＢ算出部８４を制御するすることによって周囲の光量を測定し、測定した光量に応じてモータ駆動部６４を介してモータ６２Ｃを駆動することで、絞り８０を調節する（ＡＥ：Auto Exposure）。また、ＣＰＵ９６がＣＣＤ駆動部６０を駆動してＣＣＤ５４が蓄積した電荷を被写体像を表す画像データとして取得して、合焦評価算出部８２を制御して当該画像データ内のコントラストに基づいて合焦評価を算出し、算出した合焦評価に基づいてモータ駆動部６４を介してモータ６２Ｂを駆動することでフォーカスレンズ７８Ｂを調整する（ＡＦ：Auto Focus）。
【００６０】
次に、ステップ２０８では、第２受光部１４Ｂによって所定値以上の受光量を検出したか否か判定される。該判定は、使用者によってシャッタボタン１９の第２貫通穴２０Ｂが塞がれたか否かを判定する。すなわち、操作指がシャッタボタン１９の第２貫通穴２０Ｂ上に置かれた時に、第２発光部１２Ｂから照射された光が操作指によって反射された時の第２受光部１４Ｂが受光する受光量が予め定めた所定値以上か否かを判定することによって、シャッタボタン１９の第２貫通穴２０Ｂが塞がれたか否かを判定することによって、シャッタボタン１９の第２貫通穴２０Ｂが塞がれたか否かを判定することが可能であり、ステップ２０８の判定が否定された場合には、ステップ２０４に戻って上述の処理が行われる。
【００６１】
ステップ２０８の判定が肯定された場合には、ステップ２１０へ移行して、撮影処理が行われる。撮影処理は、ＣＣＤ５４に結像された被写体像を、デジタル信号処理部８８などによって所定の画像処理を施したデジタル画像データとして、メインメモリ７４や記録メディアＭ等に記録などをする周知の撮影処理が行われる。
【００６２】
次にステップ２１２では、撮影終了か否か判定される。該判定は、使用者が操作部７２を操作することによって撮影モード以外が選択されたか否か、或いは電源オフが指示されたか否か等をＣＰＵ９６が判定することによってなされ、該判定が否定された場合には、ステップ２０４に戻って上述の処理が繰り返され、該判定が肯定された場合には、ステップ２１４へ移行する。
【００６３】
ステップ２１４では、ＣＰＵ９６によって第１発光部１２Ａ及び第２発光部１２Ｂが制御されて消灯され、当該処理を終了して、デジタルカメラ５０の他の処理が行われる。
【００６４】
このように、本実施形態では、第１発光部１２Ａから発光され、操作指によって反射された光を第１受光部１４Ａで受光し、第２発光部１２Ｂから発光され、操作指によって反射された光を第２受光部１４Ｂで受光し、各受光部１４Ａ、１４Ｂで受光した受光量に基づいて、２つの操作状態を検出することができるので、第１発光部１２Ａ、第２発光部１２Ｂ、第１受光部１４Ａ及び第２受光部１４Ｂを光学式のシャッタとして機能させることができる。また、第２実施形態では、シャッタボタン１９の操作は、各貫通穴２０Ａ、２０Ｂを塞ぐだけでいいので、手ぶれを防止することができる。
【００６５】
さらに、第２実施形態では、第１貫通穴２０Ａを塞いだ後に、操作指をスライドして第２貫通穴２０Ｂを塞ぐことによって、ＡＥ・ＡＦ処理を行った後に撮影を行うことができるので、第１実施形態に比べてシャッタボタン１９への押圧力が少ないため、シャッタボタン１９の操作による手ぶれを確実に防止することができる。
【００６６】
なお、上記の実施の形態では、発光部１２及び受光部１４を貫通穴に対応してそれぞれ１つずつ設けるようにしたが、これに限るものではなく、例えば、受光感度を上げるために、図７に示すように、１つの貫通穴２０に対応して１つの発光部１２と２つの受光部１５Ａ、１５Ｂを備えるようしてもよい。この場合には、例えば、図７に示すように、発光部１２の両側に受光部１５Ａ、１５Ｂを設けるようにしてもよいし、発光部１２及び受光部１５Ａ、１５Ｂの配列は他の配列となるようにしてもよい。
【００６７】
また、第２実施形態のシャッタボタン１９では、操作状態として２状態を検出するようにしたが、第１貫通穴２０Ａが塞がれた状態、第２貫通穴２０Ｂが塞がれた状態、並びに、第１貫通穴２０Ａ及び第２貫通穴２０Ｂが塞がれた状態の３状態を検出することも可能であり、シャッタボタン１９を更に多機能化することが可能である。さらに、操作順番に応じて機能を割り付けることで更にシャッタボタン１９の多機能化が可能となる。
【００６８】
また、第１実施形態と第２実施形態とを組み合わせることで、複数の貫通穴の操作及び各貫通穴への押圧操作により、シャッタボタンのさらなる多機能化を図ることができる。例えば、第１実施形態のように、貫通穴毎に第１の所定値及び第２の所定値を閾値として定めて、それぞれの閾値に基づいて複数の操作状態を検出し、第２実施形態のように、複数の貫通穴毎の受光部からの受光に基づいて複数の操作状態を検出することで、デジタルカメラ５０の機能を更に割り付けることができ、シャッタボタンのさらなる多機能化を図ることができる。
【００６９】
さらに、第２実施形態のシャッタボタン１９は、２つの貫通穴２０Ａ、２０Ｂを設けてそれぞれに対応して発光部１２Ａ、１２Ｂ及び受光部１４Ａ、１４Ｂを設ける構成としたが、これに限るものではなく、例えば、３つ以上の複数の貫通穴を設けて、それぞれの貫通穴に対応して発光部及び受光部を設けるようにしてもよい。これによって、更にシャッタボタンの多機能化を図ることが可能となる。
【図面の簡単な説明】
【００７０】
【図１】本発明の第１実施形態に係わるデジタルカメラの構成を示すブロック図である。
【図２】本発明の第１実施形態に係わるデジタルカメラのシャッタボタンの構成を示す図である。
【図３】本発明の第１実施形態に係わるデジタルカメラのシャッタボタンの構成の変形例を示す図である。
【図４】本発明の第１実施形態に係わるデジタルカメラの撮影時において、シャッタボタンが操作された時のＣＰＵで行われる処理の流れの一例を示すフローチャートである。
【図５】本発明の第２実施形態に係わるデジタルカメラにおけるシャッタボタンの構成を示す図である。
【図６】本発明の第２実施形態に係わるデジタルカメラの撮影時において、シャッタボタンが操作された時のＣＰＵで行われる処理の流れの一例を示すフローチャートである。
【図７】シャッタボタンの変形例の構成を示す図である。
【符号の説明】
【００７１】
１０    シャッタ部
１２、１２Ａ、１２Ｂ    発光部
１４、１４Ａ、１４Ｂ    受光部
１６    弾性部材
１８、１９    シャッタボタン
２０、２０Ａ、２０Ｂ    貫通穴
２２、２４    シャッタ部材
【図１】
2006078687.tif 000003
【図２】
2006078687.tif 000004
【図３】
2006078687.tif 000005
【図４】
2006078687.tif 000006
【図５】
2006078687.tif 000007
【図６】
2006078687.tif 000008
【図７】
2006078687.tif 000009